(57)【要約】      （修正有）【課題】携帯型情報通信端末の液晶表示部に表示された情報を隣の他人に覗かれないようなセキュリティ保護をする。【解決手段】液晶構造体は液晶画素配列部０１０１と、遮蔽素配列部０１０２と、からなる。さらに、液晶画素配列部は、液晶画素０１０３からなる。遮蔽素配列部は遮蔽素０１０４からなる。液晶構造体の液晶面に到達する法線方向視線を遮蔽されていない遮蔽素「開素」、遮蔽された遮蔽素「閉素」で構成されている遮蔽素配列部０１０２の配置により、液晶構造体０１００に表示した画面は、平面または広い視角表示特性、立体表示特性、狭い視角表示特性を実現し、携帯型情報通信端末の動作モードにより表示特性を自動、または手動的に切替え、表示情報のセキュリティ保護を実現する。【選択図】図１
2005134678.tif 000002
【特許請求の範囲】
【請求項１】
液晶画素を配列して液晶面を構成する液晶画素配列部と、
前記液晶面に到達する法線方向視線を前記液晶画素単位で遮蔽して遮蔽液晶画素とすることが可能な遮蔽素を配列した遮蔽素配列部と、
からなる液晶構造体。
【請求項２】
前記遮蔽液晶画素は、液晶面において情報表示を構成しない請求項１に記載の液晶構造体。
【請求項３】
前記遮蔽液晶画素は、前記液晶面に達する斜方向視線のみから視認可能に配置される請求項１又は２に記載の液晶構造体。
【請求項４】
前記液晶画素配列部の液晶画素のうち、前記遮蔽液晶画素を除く画素が、前記液晶面に達する斜方向視線のみから視認不可能に配置される請求項１から３のいずれか一に記載の液晶構造体。
【請求項５】
前記遮蔽素配列部は、前記遮蔽素による遮蔽の配列を変更するための変更手段を有する請求項１から４の何れか一に記載の液晶構造体。
【請求項６】
前記遮蔽素は、駆動可能液晶素子からなり、前記変更手段は、前記駆動可能液晶素子を駆動して遮蔽オンオフ切替可能とする請求項５に記載の液晶構造体。
【請求項７】
前記遮蔽素は、複数の遮蔽部分素からなり、遮蔽部分素は、それぞれが遮蔽オンオフ切替可能である請求項１から６に記載の液晶構造体。
【請求項８】
前記遮蔽部分素の遮蔽オンオフ切替をするための遮蔽部分素切替部を有し、
前記遮蔽部分素切替部は、前記遮蔽部分素の遮蔽オンである配列を制御して前記液晶面に対して情報を読み取るために到達する視線角度である視野角を変更するための視野角変更手段を有する請求項７に記載の液晶構造体。
【発明の詳細な説明】
【技術分野】
【０００１】
本件発明は、携帯電話、ＰＤＡ（Ｐｅｒｓｏｎａｌ  Ｄｉｇｉｔａｌ  Ａｓｓｉｓｔａｎｔ）、ノートＰＣなど携帯型情報通信端末の液晶表示情報を隣の他人に覗かれないことを目的とする液晶構造体の構成、表示制御の方法に関するものである。
【背景技術】
【０００２】
従来、液晶構造体の立体画像表示方法としては、パララックスバリア（ｐａｒａｌｌａｘ  ｂａｒｒｉｅｒ）方式が提案されている。パララックスバリア方式による立体画像の表示方法を、図２７を用いて説明する。図２７に示すパララックスバリア方式の液晶構造体２７００は、液晶画素配列部２７０１と、遮蔽素配列部２７０２と、からなる。従来のパララックスバリア方式では、視認する画像は、液晶画素配列部に形成される。上記液晶画素配列部には、立体視を可能にするために、左目用画像Ｌが表示される左目用画素（２）と、右目用画像Ｒが表示される右目用画素（１）とが形成されている。
【０００３】
液晶画素配列部の視認者側には、開口部（３）と遮光部（４）が縦ストライプ状に交互に形成された遮蔽素配列部（パララックスバリア）が配置される。遮蔽素配列部の開口部と遮光部との間隔は、上記左目用画素Ｌおよび右目用画素Ｒの配列に対応して設定される。上記遮蔽素配列部により、左目用画素Ｌの画素群によって形成される左目用画像Ｌ１・Ｌ２と、右目用画素Ｒの画素群によって形成される右目用画像Ｒ１・Ｒ２とが左右に分離され、分離された左目用画像Ｌ１・Ｌ２および右目用画像Ｒ１・Ｒ２は、視認者の左目および右目にそれぞれ到達する。この時、液晶画素配列部の右目用画素Ｒと左目用画素Ｌとには、視差情報を含む右目用画像と左目用画像とがそれぞれ入力されており、視認者は、これらの画像を左右の目で別々に視認することで、液晶画素配列部に表示される画像を立体画像として認識することができる。
【０００４】
液晶構造体の立体画像表示方法について、多数の提案がなされている。例えば、特許文献１では、パララックスバリア方式の立体画像表示装置の輝度向上、視認領域の拡大を図ることで表示品位を向上させることができる立体画像表示装置が提案されている。
【０００５】
また、液晶構造体の視角拡大のため、液晶の構造、材料など各方面の研究開発が盛んに行われている。例えば、特許文献２では、液晶構造体に視角特性の改善と駆動電圧の低減を両立させる工夫が行われている。
【０００６】
さらに、近年、携帯電話、ＰＤＡ、ノートＰＣなど携帯型情報通信端末の普及に伴って、携帯型情報通信端末の液晶構造体に表示された情報を隣の他人に覗かれないようなセキュリティ保護の要望が高まっている。例えば、電車、駅構内、公園、商店など公共機関における携帯型情報通信端末を利用する場合、液晶構造体に表示されているメール画面、インターネット、例えばｉモードへのアクセス画面、ゲーム画面を他人に覗かれないように、使用場所の選択、姿勢の変更など何らかの保護手段が取られている。
【特許文献１】特開２０００−７８６１７
【特許文献２】特開２００１−３５０１６０
【発明の開示】
【発明が解決しようとする課題】
【０００７】
しかしながら、特に、混雑した通勤電車内における情報閲覧にセキュリティの保護は極めて困難である。また、今後、地上波デジタルテレビ放送モジュールの搭載により携帯電話は、何時でも何処でも地上波デジタルテレビ受信が可能となり、公共機関における視聴情報の保護が益々重要となる。特に、電車通勤の場合、携帯型情報通信端末の液晶構造体の視野を狭くし、両側の他人に覗けないことが望ましい。更に、携帯型情報通信端末の使用場所、環境、目的、及び表示内容などにより、平面・立体画面、広い・狭い視角表示を自動、または手動により切替えることが望ましい。
【課題を解決するための手段】
【０００８】
本件発明は、上述した事情に鑑み提案されたもので、視角特性を制御可能な液晶構造体の構成、また、携帯型情報通信端末の使用場所、環境、目的、及び表示内容などにより、平面・立体画面、広い・狭い視角表示の制御方法を提案する。本件発明の液晶構造体の構成及び制御方法を適用することにより、携帯型情報通信端末の情報閲覧にセキュリティ保護の実現、また、平面・立体画面、広い・狭い視角表示の切替によりユーザに便利性を提供することを目的とする。
【０００９】
第一の発明は、液晶画素を配列して液晶面を構成する液晶画素配列部と、前記液晶面に到達する法線方向視線を前記液晶画素単位で遮蔽して遮蔽液晶画素とすることが可能な遮蔽素を配列した遮蔽素配列部と、からなる液晶構造体に関する。第二の発明は、前記遮蔽液晶画素は、液晶面において情報表示を構成しない第一の発明に記載の液晶構造体に関する。第三の発明は、前記遮蔽液晶画素は、前記液晶面に達する斜方向視線のみから視認可能に配置される第一の発明又は第二の発明に記載の液晶構造体に関する。第四の発明は、前記液晶画素配列部の液晶画素のうち、前記遮蔽液晶画素を除く画素が、前記液晶面に達する斜方向視線のみから視認不可能に配置される第一の発明から第三の発明のいずれか一に記載の液晶構造体に関する。第五の発明は、前記遮蔽素配列部は、前記遮蔽素による遮蔽の配列を変更するための変更手段を有する第一の発明から第四の発明の何れか一に記載の液晶構造体に関する。第六の発明は、前記遮蔽素は、駆動可能液晶素子からなり、前記変更手段は、前記駆動可能液晶素子を駆動して遮蔽オンオフ切替可能とする第五の発明に記載の液晶構造体に関する。第七の発明は、前記遮蔽素は、複数の遮蔽部分素からなり、遮蔽部分素は、それぞれが遮蔽オンオフ切替可能である第一の発明から第六の発明に記載の液晶構造体に関する。第八の発明は、前記遮蔽部分素の遮蔽オンオフ切替をするための遮蔽部分素切替部を有し、前記遮蔽部分素切替部は、前記遮蔽部分素の遮蔽オンである配列を制御して前記液晶面に対して情報を読み取るために到達する視線角度である視野角を変更するための視野角変更手段を有する第八の発明に記載の液晶構造体に関する。
【発明の効果】
【００１０】
本件発明に係る液晶構造体の構成及び表示制御の方法は、上述した液晶画素配列部の構成、及び表示制御方法を備えているため、以下の効果を奏することができる。
【００１１】
すなわち、本件発明に係る液晶構造体の構成及び表示制御の方法によれば、携帯型情報通信端末の使用場所、環境、目的、及び表示内容など条件に応じて、液晶画素配列部の平面・立体画面、広い・狭い視角表示を自動、または手動により切替えることが可能である。また、狭い視角表示の場合、液晶画素配列部の半分の液晶画素に電圧印加しないことが可能で、携帯型情報通信端末の低消費電力化に貢献し、端末の待受け、連続通話時間を延ばすことが可能である。
【００１２】
また、本件発明により、携帯型情報通信端末の地上波デジタルテレビ放送受信、インターネットアクセス、メール・ショートメッセージ作成・閲覧、メニュー操作、テレビ電話発信または着信操作、音声発信または着信操作などの動作モードに対して、ユーザの事前設定値、またはキー操作により使用環境に応じて、広い・狭い視角表示を自動、または手動により切替えることで、ユーザ閲覧情報保護の目的が実現できる。ユーザに何処でも、何時でも使える携帯型情報通信端末を提供することができる。
【００１３】
さらに、本件発明により、待受け画面、写真表示などさまざまな表示画面において、画像情報に応じて、平面・立体画面表示を自動、または手動により切替えることが可能であるため、画像表現力の強い携帯型情報通信端末を提供することができる。
【発明を実施するための最良の形態】
【００１４】
以下に本件発明の実施形態を説明する。実施形態と、請求項との関係はおおむね次のようなものである。  実施形態１は、主に、請求項１、請求項２、請求項３、請求項４、請求項５、請求項６などについて説明している。  実施形態２は、主に、請求項７について説明している。  実施形態３は、主に、請求項８について説明している。
【００１５】
<<実施形態１>>  <実施形態１の概念>    実施形態１の液晶構造体は、液晶画素を配列して液晶面を構成する液晶画素配列部と、液晶面に到達する法線方向視線を液晶画素単位で遮蔽して遮蔽液晶画素とすることが可能な遮蔽素を配列した遮蔽素配列部と、からなる。
【００１６】
遮蔽素配列部の遮蔽素を制御することにより、携帯型情報通信端末の使用場所、環境、目的、及び表示内容など条件に応じて、液晶画素配列部の平面・立体画面、広い・狭い視角表示を自動、または手動により切替えることが可能である。
【００１７】
<構成要件の明示>  以下に実施形態１の構成要件を明示する。
【００１８】
図１に示すのは、実施形態１の液晶構造体０１００の概念を説明する斜視図である。液晶構造体は液晶画素配列部０１０１と、遮蔽素配列部０１０２と、からなる。さらに、液晶画素配列部は、液晶画素０１０３からなる。遮蔽素配列部は遮蔽素０１０４からなる。
【００１９】
図２に示すのは、図１の液晶構造体を法線方向視線から見た概念を説明する図である。図２（ａ）は、液晶画素配列部０２０１に関する図である。液晶画素配列部は、液晶画素０２０２からなる。一般に、液晶画素配列部は、縦ｍ個の液晶画素×横ｎ個の液晶画素（ｍ行ｎ列）のマトリックス状に構成される。図２（ａ）では、簡単のため、縦４個の液晶画素×横９個の液晶画素（４行９列）の場合を示している（以下同じ）。ここで、図２（ａ）に示したように、１行目の１列にある液晶画素の位置を、１−１などと表すことにする。また、例えば、５列目の液晶画素全体を表すときは、（５）などと表し、３行目の液晶画素全体を表すときは、<３>などと表すことにする。また、図２（ｂ）は、遮蔽素配列部０２０３に関する図である。遮蔽素配列部は、遮蔽素０２０４からなる。遮蔽素配列部の遮蔽素の配列は、液晶画素配列部の液晶画素の配列と同様であるので説明は省略する。
【００２０】
<構成の説明>  以下に、実施形態１の液晶構造体の構成を説明する。
【００２１】
（液晶画素配列部）      「液晶画素配列部」は、液晶画素を配列して液晶面を構成する。ここで「液晶画素」とは、情報を表示するための表示画面上に、一つの点を表示するために構成された液晶素子からなる構造物のことをいう。液晶画素には、白黒表示用の液晶画素と、カラー表示用の液晶画素がある。白黒表示する場合、各液晶画素が一つの液晶素子により構成されるが、カラー表示する場合、各液晶画素がＲＧＢ（Ｒｅｄ  Ｇｒｅｅｎ  Ｂｌｕｅ）の三原色液晶素子により構成される。液晶画素は、一例として、駆動が可能な液晶素子で構成される。ここで「駆動が可能な液晶素子」とは、電界・磁界・電圧・電流等により駆動が可能な液晶素子のことをいう。また「液晶面」とは、液晶画素をマトリックス状に配列して面状に構成したものをいう。液晶面には情報が表示される。ここで、「情報」には、画像のみならず、文字も含まれる。液晶面の表示方式には、ＳＴＮ（Ｓｕｐｅｒ  Ｔｗｉｓｔｅｄ  Ｎｅｍａｔｉｃ）方式やＴＦＴ（Ｔｈｉｎ  Ｆｉｌｍ  Ｔｒａｎｓｉｓｔｏｒ）方式などがある。
【００２２】
（遮蔽素配列部）      「遮蔽素配列部」は、液晶面に到達する法線方向視線を液晶画素単位で遮蔽して遮蔽液晶画素とすることが可能な遮蔽素を配列する。ここで「法線方向視線」とは、おおよそ液晶面の正面から見た視線のことをいう。また、「遮蔽」とは、各液晶画素の大部分の視線を遮ることをいう。「遮蔽液晶画素」とは、液晶面に到達する法線方向視線を遮蔽された液晶画素のことをいう。「遮蔽素」とは、液晶面に到達する法線方向視線を液晶画素単位で遮蔽して遮蔽液晶画素とすることが可能な液晶素子のことをいう。遮蔽素には、一例として、駆動可能液晶素子（後述）などが該当する。液晶面に到達する法線方向視線を遮蔽されていない遮蔽素を「開素」、遮蔽された遮蔽素のことを「閉素」と呼ぶことにする（以下同じ）。
【００２３】
図３に示すのは、実施形態１の液晶構造体０３００の概念を説明する斜視図である。液晶構造体は液晶画素配列部０３０１と、遮蔽素配列部０３０２と、からなる。さらに、液晶画素配列部は、液晶画素からなる。遮蔽素配列部は遮蔽素からなる。図３に示すように、遮蔽素が閉素０３０４を形成すると、閉素によって法線方向視線を遮蔽された液晶画素が遮蔽液晶画素０３０３となる。
【００２４】
図４に示すのは、図３の液晶構造体を法線方向視線から見た概念を説明する図である。図４（ａ）は、液晶画素配列部０４０１に関する図である。液晶画素配列部は、液晶画素からなる。図４（ａ）では、１−１の液晶画素が遮蔽液晶画素０４０２となっている。また、図４（ｂ）は、遮蔽素配列部０４０３に関する図である。遮蔽素配列部は、遮蔽素からなる。図４（ｂ）では、１−１の遮蔽素が閉素０４０４を形成し、２−１の遮蔽素が開素０４０５を形成している。
【００２５】
遮蔽液晶画素は、液晶面において情報表示を構成しないようにすることも可能である。ここで「情報」とは、動画像、静止画像、文字などが該当する。「情報表示」とは、情報を意味あるものとして表示することをいう。また、「情報表示を構成しない」とは、液晶画素を駆動するための電源をオフすることに限定されず、視認者に無意味な情報を表示すること、視認されても問題ない情報を表示することなども含む。法線方向視線の視認者は、遮蔽液晶画素以外の液晶画素を視認することが可能であり、遮蔽液晶画素を視認することができない。遮蔽液晶画素を、液晶面において情報表示を構成しないようにすることにより、消費電力の低減あるいは遮蔽液晶画素のみ視認可能な視認者から秘密情報を視認不可とすることができる。
【００２６】
また、遮蔽液晶画素は、液晶面に達する斜方向視線のみから視認可能に配置される構成も可能である。ここで「斜方向視線」とは、おおよそ液晶面と水平方向の視線から法線方向視線までの範囲の視線のことをいう。具体的には、液晶面から２０〜３０度から６０〜７０度などの視線が該当する。遮蔽液晶画素を斜方向視線のみから視認可能に配置することにより、セキュリティを確保することができる。一例として、遮蔽液晶画素にのみ液晶面において情報表示を構成するようにすることにより、法線方向視線の視認者に秘密情報を見られないようにすることが可能である。
【００２７】
また、液晶画素配列部の液晶画素のうち、遮蔽液晶画素を除く画素が、液晶面に達する斜方向視線のみから視認不可能に配置される構成とすることも可能である。遮蔽液晶画素を除く画素を、液晶面に達する斜方向視線のみから視認不可能に配置される構成とすることにより、斜方向視線の視認者に秘密情報を見られないようにすることが可能である。
【００２８】
図２８は、上記構成を説明するための概念を説明する図であり、実施形態１の液晶構造体を上方向から見た断面図である。液晶構造体２８００は、液晶配列部２８０１と、遮蔽素配列部２８０２と、からなる。液晶画素列（１）、（３）、（５）、（７）、（９）には画像Ａが表示され、液晶画素列（２）、（４）、（６）、（８）には画像Ｂが表示される。遮蔽素配列部は、遮蔽素列（１）、（３）、（５）、（７）、（９）に閉素列Ｃが配列され、遮蔽素列（２）、（４）、（６）、（８）に開素列Ｄが配列されるように、遮蔽素がマトリックス状に配列されている。法線方向視線の視認者には、閉素列Ｃ、開素列Ｄにより、液晶画素配列部の画像Ｂの光（Ｂ１、Ｂ２など）のみ通過し、画像Ａ（Ａ１、Ａ２など）の光は遮断される。斜方向視線の視認者には、閉素列Ｃ、開素列Ｄにより、液晶画素配列部の画像Ａの光（Ａ１、Ａ２など）を通過する。つまり、遮蔽液晶画素（画像Ａ）は、液晶面に達する斜方向視線のみから視認可能に配置される構成が可能である。さらに、斜方向視線の視認者には、画像Ｂの光（Ｂ１、Ｂ２、Ｂ３、Ｂ４など）は遮断されるようにすることも可能である。つまり、液晶画素配列部の液晶画素のうち、遮蔽液晶画素を除く画素（画像Ｂ）が、液晶面に達する斜方向視線のみから視認不可能に配置される構成とすることも可能である。また、遮蔽液晶画素（画像Ａ）は、液晶面において情報表示を構成しないようにすることにより、斜方向視線の視認者が情報を盗み取ることを防止できる。逆に、液晶画素配列部の液晶画素のうち、遮蔽液晶画素を除く画素（画像Ｂ）は、液晶面において情報表示を構成しないようにすることにより、法線方向視線の視認者が情報を盗み取ることを防止できる。
【００２９】
遮蔽素配列部は、遮蔽素による遮蔽の配列を変更するための変更手段を有する構成とすることも可能である。ここで「変更手段」は、一例として、遮蔽素に電圧を印加するための電極、電極を通して遮蔽素をオンオフするための電界・電圧・電流源、電界・電圧・電流源に電界・電圧・電流を印加する印加手段、電極と電界・電圧・電流源と印加手段を接続するための配線などで構成される。印加手段を制御し、遮蔽素に加える電圧をオンオフ切替することにより、遮蔽素による遮蔽の配列を変更することができる。
【００３０】
遮蔽素は、駆動可能液晶素子からなり、変更手段は、駆動可能液晶素子を駆動して遮蔽オンオフ切替可能とする構成とすることが可能である。ここで「駆動可能液晶素子」とは、電界・磁界・電圧・電流等により駆動可能な遮蔽素を構成する液晶素子であり、液晶面の液晶画素からの視線を遮ることが可能な液晶素子のことをいう。また「遮蔽オンオフ切替可能」とは、駆動可能液晶素子を駆動して遮蔽素をオンすなわち閉素としたり、オフすなわち開素としたりして、閉素と開素を切替えることが可能であることをいう。
【００３１】
なお、実施形態１の液晶構造体は、携帯型情報端末のみならず、大型の表示装置に使用することも可能である。
【００３２】
<実施形態１の実施例１>  以下に、実施形態１の実施例１について説明する。
【００３３】
図５に示すのは、実施形態１の実施例１の液晶構造体を法線方向視線から見た概念を説明する正面図である。図５（ａ）は、液晶画素配列部０５０１に関する図である。液晶画素列（１）、（３）、（５）、（７）、（９）には画像Ａが配列されており、液晶画素列（２）、（４）、（６）、（８）には画像Ｂが配列されているものとする。また、図５（ｂ）は、遮蔽素配列部０５０２に関する図である。遮蔽素列（１）、（３）、（５）、（７）、（９）は閉素列Ｃを構成し、遮蔽素列（２）、（４）、（６）、（８）は開素列Ｄを構成しているものとする。
【００３４】
図６は、実施形態１の実施例１の液晶構造体を上方向から見た概念を説明する断面図である。液晶構造体０６００は、液晶配列部０６０１と、遮蔽素配列部０６０２と、からなる。一例として、携帯型情報通信端末を考えてみる。携帯型情報通信端末の液晶構造体は、主に二つの要素である液晶画素配列部と、遮蔽素配列部により構成されている。液晶画素配列部には、マトリックス状の細かい液晶画素が配列されている。液晶画素列（１）、（３）、（５）、（７）、（９）には画像Ａが表示され、液晶画素列（２）、（４）、（６）、（８）には画像Ｂが表示される。各液晶画素のオン／オフにより、画像Ａ、Ｂが画面表示される。白黒の場合、各液晶画素が表示画面の画素と対応しているが、カラー表示する場合、各液晶画素がＲＧＢの三原色画素により構成される。遮蔽素配列部は、遮蔽素列（１）、（３）、（５）、（７）、（９）に閉素列Ｃが配列され、遮蔽素列（２）、（４）、（６）、（８）に開素列Ｄが配列されるように、遮蔽素がマトリックス状に配列されている。閉素列Ｃ、開素列Ｄにより、液晶画素配列部の画像Ａ、Ｂの光を通過、または遮断させ、異なる視角の画面を形成することができる。すなわち、視線を遮蔽したり、しなかったりすることができる。
【００３５】
従来方式の図２７の場合、立体画面を表示するために、液晶画素と遮蔽素の相対位置はシフトするように配置されている。図２７に示したように、液晶画素中心Ｒ１に対して、遮蔽素中心Ｒ２とシフトするように配置されている。例えば、液晶画素幅Ｗ１が、遮蔽素幅Ｗ２と等しい場合、液晶画素中心Ｒ１に対して、遮蔽素中心Ｒ２はＷ２／２、あるいはＷ１／２だけシフトして配置される。遮蔽素幅は、視認者の目の視差（目の間隔）と、視認者の目から遮蔽素配列部までの距離と、液晶画素配列部と遮蔽素配列部の間隔との関係により調整することも可能である。
【００３６】
従来方式と異なり、実施形態１の実施例１において、視角制御の目的で、液晶画素と閉素の相対位置は重なるように配置されている。図６に示したように、液晶画素中心Ｒ１は、遮蔽素中心Ｒ２と重なるように配置されている。例えば、液晶画素幅Ｗ１が、遮蔽素幅Ｗ２と等しい場合、液晶画素列（１）、（２）、（３）、（４）、（５）、（６）、（７）、（８）（９）と、遮蔽素列（１）、（２）、（３）、（４）、（５）、（６）、（７）、（８）（９）が重なるように配置される。
【００３７】
上記の液晶画素列（１）、（２）、（３）、（４）、（５）、（６）、（７）、（８）（９）と、遮蔽素列（１）、（２）、（３）、（４）、（５）、（６）、（７）、（８）（９）の配置により、液晶面の正面に位置する（法線方向視線の）視認者に対して、液晶画素列（１）、（３）、（５）、（７）、（９）の画像Ａから発生された光は、遮蔽素中の一部光通過不可な閉素列Ｃ（１）、（３）、（５）、（７）、（９）により遮断され、画面Ｂに到達しない。すなわち、画像Ａの法線方向視線は遮蔽される。一方、液晶画素列（２）、（４）、（６）、（８）の画像Ｂから発生された光（Ｂ１、Ｂ２、・・・）は、遮蔽素中の一部光通過可能な開素列Ｄ（２）、（４）、（６）、（８）により通過され、画面Ｂに到達する。すなわち、画像Ｂの法線方向視線は遮蔽されない。
【００３８】
また、液晶面の側面に位置する（斜方向視線の）視認者に対して、逆に、液晶画素列（１）、（３）、（５）、（７）、（９）の画像Ａから発生された光（Ａ１、Ａ２、Ａ３、Ａ４、・・・）は、遮蔽素中の一部光通過可能な開素列Ｄ（２）、（４）、（６）、（８）により通過され、画面Ａに到達する。すなわち、画像Ａの斜方向視線は遮蔽されない。一方、液晶画素列（２）、（４）、（６）、（８）の画像Ｂから発生された光は、遮蔽素中の一部光通過不可な閉素列Ｃ（１）、（３）、（５）、（７）、（９）により遮断され、画面Ａに到達しない。すなわち、画像Ｂの斜方向視線は遮蔽される。
【００３９】
実施形態１の実施例１により、液晶面の正面に位置する（法線方向の）視認者１に対しては、液晶画素列（２）、（４）、（６）、（８）に配列された画像Ｂにより構成された画面Ｂが表示される。一方、遮蔽液晶画素（画像Ａ）は、液晶面に達する斜方向視線のみから視認可能に配置される構成であるとすると、液晶面の正面に一定角度を持つ（斜方向視線の）視認者２に対してのみ、液晶画素列（１）、（３）、（５）、（７）、（９）に配列された画像Ａにより構成された画面Ａが表示される。また、液晶画素配列部の液晶画素のうち、遮蔽液晶画素を除く画素（画像Ｂ）が、液晶面に達する斜方向視線のみから視認不可能に配置される構成とすると、視認者２は画面Ｂを視認することができないため、隣の他人に覗かれないようなセキュリティ保護目的を達成できる。また、遮蔽液晶画素（画像Ａ）は、液晶面において情報表示を構成しないようにすることにより、斜方向視線の視認者が情報を盗み取ることを防止できる。この場合、画面Ｂは（法線方向の）正面視認者１に対して有益な情報を提供し、画面Ａには情報を表示しない、または無益な情報、例えば、静止画面などを表示することができる。画面Ａには情報が表示されない場合、液晶画素列（１）、（３）、（５）、（７）、（９）の画像Ａに電圧を印加しないことで電力消費を抑えることもできる。
【００４０】
次に、液晶画素の表示原理の簡単な概念について説明する。
【００４１】
図１２に示したのは、液晶画素の表示原理の概念を示す図の一例である。ここで、１つの液晶画素のオン／オフ制御について説明する。１つの液晶画素は、上下の偏光フィルター１２０２ａ、１２０６ａ、１２０２ｂ、１２０６ｂと、上下の配光膜１２０３ａ、１２０５ａ、１２０３ｂ、１２０５ｂと、液晶分子１２０４ａ、１２０４ｂと、から構成されている。ここで、配光膜は、一例として、酸化インジウムと酸化スズの化合物（ＩＴＯ：Ｉｎｄｉｕｍ  Ｔｉｎ  Ｏｘｉｄｅ）からなる電極膜（ＩＴＯ電極）として形成されていて、透明性を持つ。電圧１２０７ｂは上下の配光膜１２０３ａ、１２０５ａに印加されない場合、光１２０１ａはａ方向の光は上の偏光フィルター１２０２ａを通過し、液晶分子１２０４ａの９０度回転により、下の偏光フィルター１２０６ａを通過することができる。一方、電圧１２０７ｂは上下の配光膜１２０３ｂ、１２０６ｂに印加されている場合、光１２０１ｂはａ方向の光は上の偏光フィルター１２０２ｂを通過し、さらに印加電圧により整列された液晶分子１２０４ｂを通過したが、下の偏光フィルター１２０６ｂの偏光方向ｂと異なるため、下の偏光フィルター１２０６ｂを通過することができない。従って、液晶分子を挟む配光膜に電圧印加の有無によって、光の通過をオン／オフすることが可能である。カラー表示の場合は、前記３つの液晶画素にＲＧＢカラーフィルターを加えて、三原色によりカラーを形成することができる。
【００４２】
一般に、遮蔽素は駆動可能液晶素子で構成されており、駆動可能液晶素子のオン／オフの原理も液晶画素の表示原理と同様であるので説明を省略する。
【００４３】
実施形態１の実施例１に適用した遮蔽素について、閉素列Ｃ、開素列Ｄは、液晶画素列（１）、（２）、（３）、（４）、（５）、（６）、（７）、（８）（９）と同様な構造で形成することができる。例えば、各遮蔽素に制御電圧の印加により遮蔽素をオン／オフして、閉素、開素を構成することができる。したがって、携帯型情報通信端末の使用場所、環境、目的、及び表示内容などにより、各遮蔽素の制御を行い、広い・狭い視角表示を実現することができる。
【００４４】
<実施形態１の実施例２>  以下に、実施形態１の実施例２について説明する。実施形態１の実施例２は、実施形態１の実施例１において、液晶画素列の画像Ａと画像Ｂの配列、及び閉素列Ｃと開素列Ｄの配列を変更したものである。液晶画素の切替え、閉素と開素の切替えは実施形態１の実施例１と同様に考えることができる。実施形態１の実施例２は、実施形態１の実施例１において、液晶画素列の画像Ａと画像Ｂの配列、及び閉素列Ｃと開素列Ｄの配列を変更したものであること以外は、実施形態１の実施例１と同様に考えることができるので、主に、その相違点について説明する。
【００４５】
図７に示すのは、実施形態１の実施例２の液晶構造体を法線方向視線から見た概念を示す正面図である。図７（ａ）は、液晶画素配列部０７０１に関する図である。液晶画素列（１）、（２）、（３）、（７）、（８）、（９）には画像Ａが配列されており、液晶画素列（４）、（５）、（６）には画像Ｂが配列されているものとする。また、図７（ｂ）は、遮蔽素配列部０７０２に関する図である。遮蔽素列（１）、（２）、（３）、（７）、（８）、（９）は閉素列Ｃを構成し、遮蔽素列（４）、（５）、（６）は開素列Ｄを構成しているものとする。
【００４６】
図８は、実施形態１の実施例２の液晶構造体を上方向から見た概念を説明する断面図である。液晶構造体０８００は、液晶配列部０８０１と、遮蔽素配列部０８０２と、からなる。さらに遮蔽素配列部は、変更手段０８０３を有する。変更手段は、遮蔽素による遮蔽の配列を変更する。
【００４７】
遮蔽素配列部は、遮蔽素列（１）、（２）、（３）、（７）、（８）、（９）に閉素列Ｃが配列され、遮蔽素列（４）、（５）、（６）に開素列Ｄが配列されるように、遮蔽素がマトリックス状に配列されている。閉素列Ｃ、開素列Ｄにより、液晶画素配列部の画像Ａの光を遮断させ、Ｂの光を通過させることによりの左右に狭い視野角の画面Ｂを形成することができる。この場合、遮蔽液晶画素（画像Ａ）は、液晶面において情報表示を構成しないようにすることにより、斜方向視線の視認者が情報を盗み取ることを防止できる。したがって、画面Ｂは有益な情報を提供し、画面Ａには情報を表示しないようにすることができる。
【００４８】
<実施形態１の実施例３>  以下に、実施形態１の実施例３について説明する。実施形態１の実施例３は、実施形態１の実施例１において、液晶画素列の画像Ａと画像Ｂの配列、及び閉素列Ｃと開素列Ｄの配列を変更したものである。液晶画素の切替え、閉素と開素の切替えは実施形態１の実施例１と同様に考えることができる。実施形態１の実施例３は、実施形態１の実施例１において、液晶画素列の画像Ａと画像Ｂの配列、及び閉素列Ｃと開素列Ｄの配列を変更したものであること以外は、実施形態１の実施例１と同様に考えることができるので、主に、その相違点について説明する。
【００４９】
図９に示すのは、実施形態１の実施例３の液晶構造体を法線方向視線から見た概念を説明する正面図である。図９（ａ）は、液晶画素配列部０９０１に関する図である。液晶画素２−４、２−５、２−６、３−４、３−５、３−６にのみ画像Ｂが配列されており、それ以外はすべて画像Ａが配列されているものとする。また、図９（ｂ）は、遮蔽素配列部０９０２に関する図である。遮蔽素２−４、２−５、２−６、３−４、３−５、３−６のみ開素Ｄを構成し、それ以外はすべて閉素Ｃを構成しているものとする。
【００５０】
閉素列Ｃ、開素列Ｄにより、液晶画素配列部の画像Ａの光を遮断させ、Ｂの光を通過させることによりの左右のみならず上下にも狭い視野角の画面Ｂを形成することができる。この場合、遮蔽液晶画素（画像Ａ）は、液晶面において情報表示を構成しないようにすることにより、斜方向視線の視認者が情報を盗み取ることを防止できる。したがって、画面Ｂは有益な情報を提供し、画面Ａには情報を表示しないようにすることができる。
【００５１】
<実施形態１の実施例４>  以下に、実施形態１の実施例４について説明する。実施形態１の実施例４は、実施形態１の実施例１において、液晶画素列の画像Ａと画像Ｂの配列、及び閉素列Ｃと開素列Ｄの配列を変更したものである。液晶画素の切替え、閉素と開素の切替えは実施形態１の実施例１と同様に考えることができる。実施形態１の実施例４は、実施形態１の実施例１において、液晶画素列の画像Ａと画像Ｂの配列、及び閉素列Ｃと開素列Ｄの配列を変更したものであること以外は、実施形態１の実施例１と同様に考えることができるので、主に、その相違点について説明する。
【００５２】
図１０に示すのは、実施形態１の実施例４の液晶構造体を法線方向視線から見た概念を説明する正面図である。図１０（ａ）は、液晶画素配列部１００１に関する図である。液晶画素には、すべて画像Ａが配列されているものとする。また、図１０（ｂ）は、遮蔽素配列部１００２に関する図である。遮蔽素はすべて閉素Ｃを構成しているものとする。
【００５３】
閉素列Ｃにより、液晶配列部全体の光を遮断させることができる。この場合、画面Ａには情報を表示しないようにすることができる。誤って液晶構造体に電源が入力されて、見られたくない情報を見られてしまうのを防止するのに有効である。
【００５４】
<実施形態１の実施例５>  以下に、実施形態１の実施例５について説明する。実施形態１の実施例５は、実施形態１の実施例１において、液晶画素列の画像Ａと画像Ｂの配列、及び閉素列Ｃと開素列Ｄの配列を変更したものである。液晶画素の切替え、閉素と開素の切替えは実施形態１の実施例１と同様に考えることができる。実施形態１の実施例５は、実施形態１の実施例１において、液晶画素列の画像Ａと画像Ｂの配列、及び閉素列Ｃと開素列Ｄの配列を変更したものであること以外は、実施形態１の実施例１と同様に考えることができるので、主に、その相違点について説明する。
【００５５】
図１１に示すのは、実施形態１の実施例５の液晶構造体を法線方向視線から見た概念を説明する正面図である。図１１（ａ）は、液晶画素配列部１１０１に関する図である。液晶画素には、画像Ａ、画像Ｂが任意に配列されているものとする。また、図１１（ｂ）は、遮蔽素配列部１１０２に関する図である。遮蔽素はすべて開素Ｃを構成しているものとする。
【００５６】
開素列Ｄにより、液晶配列部全体の光を通過させることができる。テレビ画像など、すべての画像情報を広い視野角で見たい場合に有効である。
【００５７】
<実施形態１の効果の簡単な説明>  以上述べたように、液晶画素列（１）、（２）、（３）、（４）、（５）、（６）、（７）、（８）（９）と、遮蔽素列（１）、（２）、（３）、（４）、（５）、（６）、（７）、（８）（９）の配置を工夫し、液晶面の正面に位置する視認者１に対しては、液晶画素列（２）、（４）、（６）、（８）の画像Ｂにより構成された画面Ｂが表示され、液晶面の正面に一定角度を持つ視認者２に対しては、液晶画素列（１）、（３）、（５）、（７）、（９）の画像Ａにより構成された画面Ａが表示される。しかも視認者２は、画面Ｂを視認することができないため、隣の他人に覗かれないようなセキュリティ保護目的を達成することができる。また、遮蔽素配列部の各遮蔽素に液晶表示構造を採用することにより、携帯型情報通信端末の使用場所、環境、目的、及び表示内容などによって、閉素、開素の制御を行うことが可能で、広い・狭い視角表示を切替えすることも可能である。さらに、狭い視角表示する場合には、液晶画素列（１）、（３）、（５）、（７）、（９）の画像Ａに制御電圧を印加しないことで電力消費を抑えることもできる。
【００５８】
<<実施形態２>>    <実施形態２の概念>  実施形態２の遮蔽素は、複数の遮蔽部分素からなり、遮蔽部分素は、それぞれが遮蔽オンオフ切替可能である実施形態１に記載の液晶構造体に関する。
【００５９】
<構成要件の明示>  以下に実施形態２の構成要件を明示する。
【００６０】
図１３に示すのは、実施形態２の液晶構造体１３００の概念を説明する斜視図である。液晶構造体は液晶画素配列部１３０１と、遮蔽素配列部１３０２と、からなる。また、液晶画素配列部は、液晶画素からなる。遮蔽素配列部は遮蔽素からなる。さらに、遮蔽素は、遮蔽部分素１３０３からなる。
【００６１】
<構成の説明>  以下に、実施形態２の液晶構造体の構成を説明する。
【００６２】
実施形態２の液晶画素配列部は、実施形態１の液晶画素配列部の説明と同様であるので説明を省略する。
【００６３】
（遮蔽素配列部）      「遮蔽素配列部」は、液晶面に到達する法線方向視線を液晶画素単位で遮蔽して遮蔽液晶画素とすることが可能な遮蔽素を配列する。さらに遮蔽素は、複数の遮蔽部分素からなり、遮蔽部分素は、それぞれが遮蔽オンオフ切替可能である。ここで、遮蔽されていない遮蔽部分素を「開部分素」、遮蔽された遮蔽部分素のことを「閉部分素」と呼ぶことにする（以下同じ）。
【００６４】
図１４に示すのは、図１３の液晶構造体を法線方向視線から見た概念を説明する正面図である。図１４（ａ）は、液晶画素配列部１４０１に関する図である。液晶画素配列部は、液晶画素からなる。また、図１４（ｂ）は、遮蔽素配列部１４０２に関する図である。遮蔽素配列部は、遮蔽素からなる。さらに遮蔽素は、遮蔽部分素１４０３からなる。図１４（ｂ）では、遮蔽素を縦に２分割したものを遮蔽部分素としているが、本件発明は、これに限定されるものではない。遮蔽部分素は、遮蔽素を、縦に２分割、３分割、４分割や横に２分割、３分割、４分割など、あるいは縦と横の分割の組み合わせであってもよい。
【００６５】
<実施形態２の実施例１>  以下に、実施形態２の実施例１について説明する。
【００６６】
図１５に示すのは、実施形態２の実施例１の液晶構造体を法線方向視線から見た概念を説明する正面図である。図１５（ａ）は、液晶画素配列部１５０１に関する図である。液晶画素列（１）、（３）、（５）、（７）、（９）には画像Ａが配列されており、液晶画素列（２）、（４）、（６）、（８）には画像Ｂが配列されているものとする。また、図１５（ｂ）は、遮蔽素配列部１５０２に関する図である。遮蔽部分素列（１Ｌ、１Ｒ）、（３Ｌ、３Ｒ）、（５Ｌ、５Ｒ）、（７Ｌ、７Ｒ）、（９Ｌ、９Ｒ）は閉部分素列Ｅ、Ｆを構成し、遮蔽部分素列（２Ｌ、２Ｒ）、（４Ｌ、４Ｒ）、（６Ｌ、６Ｒ）、（８Ｌ、８Ｒ）は開素列Ｇ、Ｈを構成しているものとする。ここで、例えば、（１Ｌ、１Ｒ）などの記号は、遮蔽素列（１）を分割して遮蔽部分素列を構成していることを示している。１Ｌは左側の遮蔽部分素を表し、１Ｒは右側の遮蔽部分素を表している（以下同じ）。
【００６７】
図１６は、実施形態２の実施例１の液晶構造体を上方向から見た概念を説明する断面図である。液晶構造体１６００は、液晶配列部１６０１と、遮蔽素配列部１６０２と、からなる。一例として、携帯型情報通信端末を考えてみる。携帯型情報通信端末の液晶構造体は、基本的には実施形態１の実施例１と同じように、主に二つの要素である液晶画素配列部と、遮蔽素配列部により構成されている。液晶画素配列部は、マトリックス状の細かい液晶画素が配列されている。液晶画素列（１）、（３）、（５）、（７）、（９）には画像Ａが表示され、液晶画素列（２）、（４）、（６）、（８）には画像Ｂが表示される。各液晶画素のオン／オフにより、画像Ａ、Ｂが画面表示される。白黒の場合、各液晶画素が表示画面の画素と対応しているが、カラー表示する場合、各液晶画素がＲＧＢの三原色画素により構成される。遮蔽素配列部は、遮蔽部分素列（１Ｌ、１Ｒ）、（３Ｌ、３Ｒ）、（５Ｌ、５Ｒ）、（７Ｌ、７Ｒ）、（９Ｌ、９Ｒ）は閉部分素列Ｅ、Ｆが配列され、遮蔽部分素列（２Ｌ、２Ｒ）、（４Ｌ、４Ｒ）、（６Ｌ、６Ｒ）、（８Ｌ、８Ｒ）は開素列Ｇ、Ｈが配列されるように、遮蔽部分素がマトリックス状に配列されている。閉部分素列Ｅ、Ｆと、開素列Ｇ、Ｈとにより、液晶画素配列部の画像Ａ、Ｂの光を通過、または遮断させ、異なる視角の画面を形成することができる。
【００６８】
実施形態２の実施例１においては、閉部分素列Ｅ、Ｆと、開部分素列Ｇ、Ｈは、図６に示した実施形態１の実施例１と異なり、閉素列Ｃと開素列Ｄの幅をさらに１／２としている。図１６に示したように、液晶画素中心Ｒ１に対して、遮蔽部分素中心Ｒ２は、液晶画素幅Ｗ１の１／４だけシフトしている。すなわち、１つの液晶画素に対して、２つの遮蔽部分素と重なるように配置されている。例えば、液晶画素幅Ｗ１、遮蔽部分素幅Ｗ２の場合、Ｗ１はＷ２の２倍の関係にあり、液晶画素列（１）、（３）、（５）、（７）、（９）の画像Ａに対して、遮蔽部分素列（１Ｌ、１Ｒ）、（３Ｌ、３Ｒ）、（５Ｌ、５Ｒ）、（７Ｌ、７Ｒ）、（９Ｌ、９Ｒ）の閉部分素列Ｅ、Ｆが、液晶画素列（２）、（４）、（６）、（８）の画像Ｂに対して、遮蔽部分素列（２Ｌ、２Ｒ）、（４Ｌ、４Ｒ）、（６Ｌ、６Ｒ）、（８Ｌ、８Ｒ）の開素列Ｇ、Ｈが、それぞれ法線方向視線で重なるように配置されている。遮蔽部分素幅は、視認者の目の視差（目の間隔）と、視認者の目から遮蔽素配列部までの距離と、液晶画素配列部と遮蔽素配列部の間隔との関係により調整することも可能である。
【００６９】
上記の液晶画素列（１）、（２）、（３）、（４）、（５）、（６）、（７）、（８）（９）と、遮蔽部分素列（１Ｌ、１Ｒ）、（２Ｌ、２Ｒ）、（３Ｌ、３Ｒ）、（４Ｌ、４Ｒ）、（５Ｌ、５Ｒ）、（６Ｌ、６Ｒ）、（７Ｌ、７Ｒ）、（８Ｌ、８Ｒ）、（９Ｌ、９Ｒ）の配置により、液晶面の正面に位置する（法線方向視線の）視認者１に対して、液晶画素列（１）、（３）、（５）、（７）、（９）の画像Ａから発生した光（Ａ１、Ａ２、Ａ３、Ａ４、・・・）は、遮蔽部分素中の一部光通過不可な閉部分素列Ｅ、Ｆにより遮断され、画面Ｂに到達しない。つまり、画像Ａの法線方向視線は遮蔽される。一方、液晶画素列（２）、（４）、（６）、（８）の画像Ｂから発生した光（Ｂ１、Ｂ２、…）は、遮蔽部分素中の一部光通過可能な開部分素列Ｇ、Ｈにより通過され、画面Ｂに到達する。つまり、画像Ｂの法線方向視線は遮蔽されない。
【００７０】
また、液晶面の側面に位置する（斜方向視線の）視認者２に対して、逆に、液晶画素列（１）、（３）、（５）、（７）、（９）の画像Ａから発生した光（Ａ１、Ａ２、Ａ３、Ａ４、・・・）は、遮蔽部分素中の一部光通過可能な開部分素列Ｇ、Ｈにより通過され、画面Ａに到達する。つまり、画像Ａの斜方向視線は遮蔽されない。一方、液晶画素列（２）、（４）、（６）、（８）の画像Ｂから発生した光（Ｂ１、Ｂ２、…）は、遮蔽部分素中の一部光通過不可な閉部分素列Ｅ、Ｆにより遮断され、画面Ａに到達しない。つまり、画像Ｂの斜方向視線は遮蔽される。
【００７１】
図１６の構成では、実施形態１の実施例１と同様に、液晶面の正面に位置する（法線方向視線の）視認者１に対しては、液晶画素列（２）、（４）、（６）、（８）の画像Ｂにより構成された画面Ｂが表示される。液晶面の正面に一定角度を持つ（斜方向視線の）視認者２に対して、液晶画素列（１）、（３）、（５）、（７）、（９）の画像Ａにより構成された画面Ａが表示される。視認者２は、画面Ｂを視認することができないため、隣の他人に覗かれないようなセキュリティ保護目的を達成できる。
【００７２】
また、閉部分素列Ｅ、Ｆと開部分素列Ｇ、Ｈの構成は、実施形態１の実施例１と同様に、図１２の液晶表示構造を採用することにより、携帯型情報通信端末の使用場所、環境、目的、及び表示内容などによって、閉部分素列Ｅ、Ｆと開部分素列Ｇ、Ｈの制御を行うことが可能で、広い・狭い視角表示を切替えることも可能である。
【００７３】
<実施形態２の実施例２>  以下に、実施形態２の実施例２について説明する。
【００７４】
図１７に示すのは、実施形態２の実施例２の液晶構造体を法線方向視線から見た概念を説明する正面図である。図１７（ａ）は、液晶画素配列部１７０１に関する図である。液晶画素列（１）、（３）、（５）、（７）、（９）には画像Ａが配列されており、液晶画素列（２）、（４）、（６）、（８）には画像Ｂが配列されているものとする。また、図１７（ｂ）は、遮蔽素配列部１７０２に関する図である。遮蔽部分素列（１Ｒ、２Ｌ）、（３Ｒ、４Ｌ）、（５Ｒ、６Ｌ）、（７Ｒ、８Ｌ）、（９Ｒ）は閉部分素列Ｆ、Ｇ（図１８に示す）を構成し、遮蔽部分素列（１Ｌ）、（２Ｒ、３Ｌ）、（４Ｒ、５Ｌ）、（６Ｒ、７Ｌ）、（８Ｒ、９Ｌ）は開素列Ｈ、Ｅ（図１８に示す）を構成しているものとする。
【００７５】
図１８は、実施形態２の実施例２の液晶構造体を上方向から見た概念を説明する断面図である。液晶構造体１８００は、液晶配列部１８０１と、遮蔽素配列部１８０２と、からなる。
【００７６】
実施形態２の実施例２では、図１８のように、液晶面の正面に位置する（法線方向視線の）視認者１に対しては、液晶画素列（１）、（３）、（５）、（７）、（９）の画像Ａから発生した光（Ａ１、Ａ２、・・・）は、遮蔽部分素中の一部光通過可能な開部分素列Ｈ、Ｅにより通過し、画面Ａに到達するが、液晶画素列（２）、（４）、（６）、（８）の画像Ｂから発生した光は遮蔽部分素中の一部光通過不可な閉部分素列Ｆ、Ｇにより遮断され、画面Ａに到達しない。一方、液晶画素列（２）、（４）、（６）、（８）の画像Ｂから発生した光（Ｂ１、Ｂ２、・・・）は、遮蔽部分素中の一部光通過可能な開部分素列Ｈ、Ｅにより通過し、画面Ｂ到達するが、液晶画素列（１）、（３）、（５）、（７）、（９）の画像Ａから発生した光は、遮蔽部分素中の一部光通過不可な閉部分素列Ｆ、Ｇにより遮断され、画面Ａに到達しない。この場合、図１８のように、液晶面の視認者１には、光通過可能な開部分素列Ｈ、Ｅと光通過不可な閉部分素列Ｆ、Ｇにより構成された視覚差を利用して、左目用液晶画素列（１）、（３）、（５）、（７）、（９）の画像Ａによって構成される左目用画面Ａと、右目用液晶画素列（２）、（４）、（６）、（８）の画像Ｂによって構成される右目用画面Ｂとが左右に分離され、分離された左目用画像および右目用画像は、視認者の左目および右目にそれぞれ到達する。この時、液晶構造体の液晶画素列（１）、（３）、（５）、（７）、（９）の画像Ａと液晶画素列（２）、（４）、（６）、（８）の画像Ｂとには、視差情報を含む左目用画像Ａと右目用画像Ｂとがそれぞれ入力されており、視認者は、これらの画像を左右の目で別々に視認することで、液晶構造体に表示される画像を立体画像として認識することができる。
【００７７】
また、液晶面の側面に位置する（斜方向視線の）視認者２に対しては、画面Ａのみ、あるいは画面Ｂのみしか見えないため、液晶構造体に表示される画像を立体画像として認識することができない。
【００７８】
また、遮蔽部分素列（１Ｌ、１Ｒ）、（２Ｌ、２Ｒ）、（３Ｌ、３Ｒ）、（４Ｌ、４Ｒ）、（５Ｌ、５Ｒ）、（６Ｌ、６Ｒ）、（７Ｌ、７Ｒ）、（８Ｌ、８Ｒ）、（９Ｌ、９Ｒ）の構成は、実施形態１の実施例１と同様に、図１２の液晶表示構造を採用することにより、携帯型情報通信端末の使用目的、及び表示内容などによって、開部分素と閉部分素の制御を行うことが可能で、平面・立体画像表示、または広い・狭い視覚表示を切替えることも可能である。
【００７９】
<実施形態２の効果の簡単な説明>  以上述べたように、遮蔽部分素列の構成は、携帯型情報通信端末の使用目的、及び表示内容などによって、開部分素と閉部分素の制御を行うことが可能で、平面・立体画像表示を切替えることも可能である。
【００８０】
<<実施形態３>>  <実施形態３の概念>  実施形態３は、遮蔽部分素の遮蔽オンオフ切替をするための遮蔽部分素切替部を有し、遮蔽部分素切替部は、遮蔽部分素の遮蔽オンである配列を制御して液晶面に対して情報を読み取るために到達する視線角度である視野角を変更するための視野角変更手段を有する実施形態２に記載の液晶構造体に関する。
【００８１】
<構成要件の明示>  以下に実施形態３の構成要件を明示する。
【００８２】
図１９に示すのは、実施形態３の液晶構造体１９０８を利用した携帯型情報通信端末の機能ブロック図である。実施形態３の液晶構造体は液晶画素配列部１９１１と、遮蔽素配列部１９１２と、遮蔽部分素切替部１９１３と、からなる。さらに、遮蔽部分素切替部は、視野角変更手段１９１４を有する。
【００８３】
<構成の説明>  以下に、実施形態３の液晶構造体の構成を説明する。  実施形態３の液晶画素配列部は、実施形態１の液晶画素配列部の説明と同様であるので説明を省略する。
【００８４】
（遮蔽素配列部）      遮蔽素配列部は、液晶面に到達する法線方向視線を液晶画素単位で遮蔽して遮蔽液晶画素とすることが可能な遮蔽素を配列する。さらに遮蔽素は、複数の遮蔽部分素からなり、遮蔽部分素は、それぞれが遮蔽オンオフ切替可能である。
【００８５】
（遮蔽部分素切替部）      遮蔽部分素切替部は、遮蔽部分素の遮蔽オンオフ切替をする。遮蔽部分素切替部は、視野角変更手段を有する。視野角変更手段は、遮蔽部分素の遮蔽オンである配列を制御して液晶面に対して情報を読み取るために到達する視線角度である視野角を変更する。遮蔽部分素の遮蔽オンである配列を制御する方法については、実施形態１の遮蔽素配列部の変更手段による制御と同様であるので説明を省略する。
【００８６】
<実施形態３の実施例１>  以下に、実施形態３の実施例１について説明する。
【００８７】
実施形態３の実施例１では、実施形態３の液晶構造体の制御方法について述べる。ここでは、地上波デジタルテレビ放送受信機能を内蔵した携帯型情報通信端末、例えば、携帯電話を一例として、詳細説明を行う。
【００８８】
図１９に示したように、携帯型情報通信端末１９００は、基地局（図面表示なし）と無線接続を行うアンテナ１９０１、無線部１９０２と、無線部に入出力された変復調ベースバンドの処理を行うベースバンド信号処理部１９０３と、ハードウェア制御、通信プロトコル制御、アプリケーション制御などを行う端末制御部１９０４と、地上波デジタルテレビ放送受信を受信するアンテナ１９０５と、地上波デジタルテレビ放送受信モジュール１９０６と、携帯型情報通信端末制御プログラム、システムデータ、ユーザデータを保存するメモリ部１９１０と、ユーザインタフェースである液晶構造体１９０８、キー操作部１９０７、音声入出力部１９０９、外部インタフェース（図面表示なし）などにより構成されている。
【００８９】
また、液晶構造体は、液晶画素配列部１９１１と、遮蔽素配列部１９１２と、遮蔽部分素切替部１９１３と、からなる。さらに、遮蔽部分素切替部は視野角変更手段１９１４を有する。液晶構造体は、表示画面データと、制御信号の電気接続信号線により端末制御部１９０４と接続している。遮蔽素配列部は、前記実施形態１又は２に示したような液晶構造により構成される。表示画面データ信号は、ユーザの選択などに応じて、立体画像、平面画像、または広い視角画像、狭い視角画像データを液晶画素配列部に送ることができる。制御信号は、上記の表示画像データに応じて、遮蔽素配列部、遮蔽部分素切替部に、前記実施形態１又は２のような遮蔽素、遮蔽部分素制御信号を供給する。この２つの信号の組合せにより、液晶構造体は、平面・立体画面、または広い・狭い視角画面を表示させることが可能となる。
【００９０】
図２０〜２６に示すのは、液晶構造体に対する端末制御部の制御方法である。図２０〜２６は、端末制御部において、本発明と関連している端末制御プログラムの一部シーケンスを示している。
【００９１】
端末制御プログラムは、主に着信またはユーザ操作を待つ待受けモード（ステップＳ２００６）と、地上波デジタルテレビを操作、視聴する地上波デジタルテレビ受信モード（ステップＳ２１０５）と、携帯型情報通信端末のインターネットアクセス、例えば日本国内のサービスとして、ｉ−ｍｏｄｅ（登録商標）、ＥＺｗｅｂ、Ｊ−スカイを利用したインターネットアクセスモード（ステップＳ２２０５）と、メール、例えばｉ−ｍｏｄｅ（登録商標）サービスのｉ−ｍｏｄｅ（登録商標）メール、Ｊ−スカイの「スカイメール」、写メールやサウンドの添付が可能な「ロングメール」、ムービー写メールなどが楽しめる「スーパーメール」、ショートメッセージ（ＳＭ：Ｓｈｏｒｔ  Ｍｅｓｓａｇｅ）の作成、及び閲覧可能なメール・ショートメッセージ作成・閲覧モード（ステップＳ２３０５）と、電話番号検索・登録、各種機能設定などメニュー操作モード（ステップＳ２４０５）と、音声と画像を同時に送られるテレビ（ＴＶ）電話通信モード（ステップＳ２５０５）と、音声通話を行う音声通信モード（ステップＳ２６０５）により構成されている。
【００９２】
以下に、端末制御プログラムの一部シーケンスの詳細について説明する。
【００９３】
図２０に示すのは、主に、待受けモードに関する。まず、端末電源ＯＮし（ステップＳ２００１）、基地局（図面表示なし）からの報知情報を受信し、必要の場合、基地局への端末情報を送信する位置登録（ステップＳ２００２）を行い、その後、待受け画面を立体表示するか、または平面表示するかを選択する待受け画面立体表示（ステップＳ２００３）に移行し、ユーザ事前設定した待受け画面表示方法の選択値をメモリ部から呼び出し、または直接ユーザに選択を求めた選択値を利用して、液晶構造体の立体表示制御（ステップＳ２００４）か、または液晶構造体の平面表示制御（ステップＳ２００５）への遷移を判別する。Ｙｅｓの場合、液晶構造体の立体表示制御を、Ｎｏの場合、液晶構造体の平面表示制御を行い、待受けモード（ステップＳ２００６）に移行する。次に、端末電源ＯＦＦかどうかを判断し（ステップＳ２００７）、端末電源ＯＦＦであれば処理を終了する。端末電源ＯＦＦでなければ、次の処理（ステップＳ２１０１）に移行する。また、液晶構造体立体表示制御と液晶構造体平面表示制御については、実施形態１又は２における液晶構造体の構成及び制御方法を利用することができる。本発明により、ユーザ事前登録の選択、または直接選択キー入力により、平面、または立体の待受け画面を表示することができる。
【００９４】
次に、待受けモード状態において、下記の６つのイベントが発生することが考えられる。ユーザの操作により、地上波デジタルテレビ受信（ステップＳ２１０１）か、インターネットアクセス（ステップＳ２２０１）か、メール・ショートメッセージ作成・閲覧（ステップＳ２３０１）か、メニュー操作（ステップＳ２４０１）か、テレビ電話発信操作または着信（ステップＳ２５０１）か、音声発信操作または着信（ステップＳ２６０１）か、発生する場合がある。
【００９５】
図２１に示すのは、主に、地上波デジタルテレビ受信モードに関する。待受けモード状態において、地上波デジタルテレビ受信するかどうかを判断し（ステップＳ２１０１）、受信すると判断した場合には、携帯型情報通信端末の液晶構造体に表示された情報を隣の他人に覗かれないようなセキュリティ保護が要求される狭い視野画面表示かどうかの判断を行う（ステップＳ２１０２）。この判断は、各モードに対してユーザが事前設定した液晶構造体表示方法の選択値をメモリ部から呼び出し、または直接ユーザに選択を求めた選択値を利用して、液晶構造体の広い視野表示制御か、または液晶構造体の狭い視野表示制御への移行を判別する。Ｙｅｓの場合、液晶構造体の狭い視野表示制御（ステップＳ２１０４）に、Ｎｏの場合、液晶構造体の広い視野表示制御（ステップＳ２１０３）に移行する。
【００９６】
その後、前記の地上波デジタルテレビ受信モード（ステップＳ２１０５）に移行し、着信が発生しているかどうか、例えば、音声着信、テレビ電話着信、メール・ショートメッセージ着信の割込みが発生しているかどうかを判断して（ステップＳ２１０６）、着信発生（Ｙｅｓ）の場合は着信種類を判別し、対応した着信処理を実行し（ステップＳ２１０７）、地上波デジタルテレビ受信モードに戻る。Ｎｏの場合、モード終了かどうか判断し（ステップＳ２１０８）、モード終了であれば（Ｙｅｓの場合）、待受けモードに戻る。モード終了でなければ（Ｎｏの場合）、地上波デジタルテレビ受信モードに戻る。
【００９７】
図２２に示すのは、主に、インターネットアクセスモードに関する。待受けモード状態において、地上波デジタルテレビ受信しないと判断した場合には、インターネットアクセスかどうか判断し（ステップＳ２２０１）、インターネットアクセスと判断した場合には、携帯型情報通信端末の液晶構造体に表示された情報を隣の他人に覗かれないようなセキュリティ保護が要求される狭い視野画面表示かどうかの判断を行う（ステップＳ２２０２）。この判断は、各モードに対してユーザが事前設定した液晶構造体表示方法の選択値をメモリ部から呼び出し、または直接ユーザに選択を求めた選択値を利用して、液晶構造体の広い視野表示制御か、または液晶構造体の狭い視野表示制御への移行を判別する。Ｙｅｓの場合、液晶構造体の狭い視野表示制御（ステップＳ２２０４）に、Ｎｏの場合、液晶構造体の広い視野表示制御（ステップＳ２２０３）に移行する。
【００９８】
その後、前記のインターネットアクセスモード（ステップＳ２２０５）に移行し、着信が発生しているかどうか、例えば、音声着信、テレビ電話着信、メール・ショートメッセージ着信の割込みが発生しているかどうかを判断して（ステップＳ２２０６）、着信発生（Ｙｅｓ）の場合は着信種類を判別し、対応した着信処理を実行し（ステップＳ２２０７）、インターネットアクセスモードに戻る。Ｎｏの場合、モード終了かどうか判断し（ステップＳ２２０８）、モード終了であれば（Ｙｅｓの場合）、待受けモードに戻る。モード終了でなければ（Ｎｏの場合）、インターネットアクセスモードに戻る。
【００９９】
図２３に示すのは、主に、メール・ショートメッセージ作成・閲覧モードに関する。待受けモード状態において、地上波デジタルテレビ受信、インターネットアクセスをいずれもＮｏと判断した場合には、メール・ショートメッセージ作成・閲覧かどうか判断し（ステップＳ２３０１）、メール・ショートメッセージ作成・閲覧と判断した場合には、携帯型情報通信端末の液晶構造体に表示された情報を隣の他人に覗かれないようなセキュリティ保護が要求される狭い視野画面表示かどうかの判断を行う（ステップＳ２３０２）。この判断は、各モードに対してユーザが事前設定した液晶構造体表示方法の選択値をメモリ部から呼び出し、または直接ユーザに選択を求めた選択値を利用して、液晶構造体の広い視野表示制御か、または液晶構造体の狭い視野表示制御への移行を判別する。Ｙｅｓの場合、液晶構造体の狭い視野表示制御（ステップＳ２３０４）に、Ｎｏの場合、液晶構造体の広い視野表示制御（ステップＳ２３０３）に移行する。
【０１００】
その後、前記のメール・ショートメッセージ作成・閲覧モード（ステップＳ２３０５）に移行し、着信が発生しているかどうか、例えば、音声着信、テレビ電話着信、メール・ショートメッセージ着信の割込みが発生しているかどうかを判断して（ステップＳ２３０６）、着信発生（Ｙｅｓ）の場合は着信種類を判別し、対応した着信処理を実行し（ステップＳ２３０７）、メール・ショートメッセージ作成・閲覧モードに戻る。Ｎｏの場合、モード終了かどうか判断し（ステップＳ２３０８）、モード終了であれば（Ｙｅｓの場合）、待受けモードに戻る。モード終了でなければ（Ｎｏの場合）、メール・ショートメッセージ作成・閲覧モードに戻る。
【０１０１】
図２４に示すのは、主に、メニュー操作モードに関する。待受けモード状態において、地上波デジタルテレビ受信、インターネットアクセス、メール・ショートメッセージ作成・閲覧をいずれもＮｏと判断した場合には、メニュー操作かどうか判断し（ステップＳ２４０１）、メニュー操作と判断した場合には、携帯型情報通信端末の液晶構造体に表示された情報を隣の他人に覗かれないようなセキュリティ保護が要求される狭い視野画面表示かどうかの判断を行う（ステップＳ２４０２）。この判断は、各モードに対してユーザが事前設定した液晶構造体表示方法の選択値をメモリ部から呼び出し、または直接ユーザに選択を求めた選択値を利用して、液晶構造体の広い視野表示制御か、または液晶構造体の狭い視野表示制御への移行を判別する。Ｙｅｓの場合、液晶構造体の狭い視野表示制御（ステップＳ２４０４）に、Ｎｏの場合、液晶構造体の広い視野表示制御（ステップＳ２４０３）に移行する。
【０１０２】
その後、前記のメニュー操作モード（ステップＳ２４０５）に移行し、着信が発生しているかどうか、例えば、音声着信、テレビ電話着信、メール・ショートメッセージ着信の割込みが発生しているかどうかを判断して（ステップＳ２４０６）、着信発生（Ｙｅｓ）の場合は着信種類を判別し、対応した着信処理を実行し（ステップＳ２４０７）、メニュー操作モードに戻る。Ｎｏの場合、モード終了かどうか判断し（ステップＳ２４０８）、モード終了であれば（Ｙｅｓの場合）、待受けモードに戻る。モード終了でなければ（Ｎｏの場合）、メニュー操作モードに戻る。
【０１０３】
図２５に示すのは、主に、テレビ（ＴＶ）電話通信モードに関する。待受けモード状態において、地上波デジタルテレビ受信、インターネットアクセス、メール・ショートメッセージ作成・閲覧、メニュー操作をいずれもＮｏと判断した場合には、テレビ電話発着信かどうか判断し（ステップＳ２５０１）、テレビ電話発着信と判断した場合には、携帯型情報通信端末の液晶構造体に表示された情報を隣の他人に覗かれないようなセキュリティ保護が要求される狭い視野画面表示かどうかの判断を行う（ステップＳ２５０２）。この判断は、各モードに対してユーザが事前設定した液晶構造体表示方法の選択値をメモリ部から呼び出し、または直接ユーザに選択を求めた選択値を利用して、液晶構造体の広い視野表示制御か、または液晶構造体の狭い視野表示制御への移行を判別する。Ｙｅｓの場合、液晶構造体の狭い視野表示制御（ステップＳ２５０４）に、Ｎｏの場合、液晶構造体の広い視野表示制御（ステップＳ２５０３）に移行する。
【０１０４】
その後、前記のテレビ電話通信モード（ステップＳ２５０５）に移行し、着信が発生しているかどうか、例えば、メール・ショートメッセージの着信が発生しているかどうかを判断して（ステップＳ２５０６）、着信発生（Ｙｅｓ）の場合は着信種類を判別し、対応した着信処理を実行し（ステップＳ２５０７）、テレビ電話通信モードに戻る。Ｎｏの場合、モード終了かどうか判断し（ステップＳ２５０８）、モード終了であれば（Ｙｅｓの場合）、待受けモードに戻る。モード終了でなければ（Ｎｏの場合）、テレビ電話通信モードに戻る。
【０１０５】
図２６に示すのは、主に、音声通信モードに関する。待受けモード状態において、地上波デジタルテレビ受信、インターネットアクセス、メール・ショートメッセージ作成・閲覧、メニュー操作、テレビ電話発着信をいずれもＮｏと判断した場合には、音声発着信かどうか判断し（ステップＳ２６０１）、音声発着信と判断した場合には、携帯型情報通信端末の液晶構造体に表示された情報を隣の他人に覗かれないようなセキュリティ保護が要求される狭い視野画面表示かどうかの判断を行う（ステップＳ２６０２）。この判断は、各モードに対してユーザが事前設定した液晶構造体表示方法の選択値をメモリ部から呼び出し、または直接ユーザに選択を求めた選択値を利用して、液晶構造体の広い視野表示制御か、または液晶構造体の狭い視野表示制御への移行を判別する。Ｙｅｓの場合、液晶構造体の狭い視野表示制御（ステップＳ２６０４）に、Ｎｏの場合、液晶構造体の広い視野表示制御（ステップＳ２６０３）に移行する。
【０１０６】
その後、前記の音声通信モード（ステップＳ２６０５）に移行し、着信が発生しているかどうか、例えば、メール・ショートメッセージの着信が発生しているかどうかを判断して（ステップＳ２６０６）、着信発生（Ｙｅｓ）の場合は着信種類を判別し、対応した着信処理を実行し（ステップＳ２６０７）、音声通信モードに戻る。Ｎｏの場合、モード終了かどうか判断し（ステップＳ２６０８）、モード終了であれば（Ｙｅｓの場合）、待受けモードに戻る。モード終了でなければ（Ｎｏの場合）、音声通信モードに戻る。
【産業上の利用可能性】
【０１０７】
本件発明の液晶構造体は、液晶画素配列部の平面・立体画面、広い・狭い視角表示を切替えたい場合に利用することが可能である。
【図面の簡単な説明】
【０１０８】
【図１】実施形態１の液晶構造体の概念（その１）を示す図
【図２】実施形態１の液晶構造体の概念を説明（その１）する法線方向視線から見た正面図
【図３】実施形態１の液晶構造体の概念（その２）を示す図
【図４】実施形態１の液晶構造体の概念を説明（その２）する法線方向視線から見た正面図
【図５】実施形態１の実施例１の液晶構造体の概念を説明する法線方向視線から見た正面図
【図６】実施形態１の実施例１の液晶構造体の概念を説明する上方向視線から見た断面図
【図７】実施形態１の実施例２の液晶構造体の概念を説明する法線方向視線から見た正面図
【図８】実施形態１の実施例２の液晶構造体の概念を説明する上方向視線から見た断面図
【図９】実施形態１の実施例３の液晶構造体の概念を説明する上方向視線から見た断面図
【図１０】実施形態１の実施例４の液晶構造体の概念を説明する上方向視線から見た断面図
【図１１】実施形態１の実施例５の液晶構造体の概念を説明する上方向視線から見た断面図
【図１２】実施形態１の液晶画素の表示原理概念を示す図
【図１３】実施形態２の液晶構造体の概念（その１）を示す図
【図１４】実施形態２の液晶構造体の概念を説明（その１）する法線方向視線から見た正面図
【図１５】実施形態２の実施例１の液晶構造体の概念を説明する法線方向視線から見た正面図
【図１６】実施形態２の実施例１の液晶構造体の概念を説明する上方向視線から見た断面図
【図１７】実施形態２の実施例２の液晶構造体の概念を説明する法線方向視線から見た正面図
【図１８】実施形態２の実施例２の液晶構造体の概念を説明する上方向視線から見た断面図
【図１９】実施形態３の液晶構造体を利用した携帯型情報通信端末の機能ブロック図
【図２０】実施形態３の液晶構造体に関する制御の流れ（その１）を示す図
【図２１】実施形態３の液晶構造体に関する制御の流れ（その２）を示す図
【図２２】実施形態３の液晶構造体に関する制御の流れ（その３）を示す図
【図２３】実施形態３の液晶構造体に関する制御の流れ（その４）を示す図
【図２４】実施形態３の液晶構造体に関する制御の流れ（その５）を示す図
【図２５】実施形態３の液晶構造体に関する制御の流れ（その６）を示す図
【図２６】実施形態３の液晶構造体に関する制御の流れ（その７）を示す図
【図２７】従来例の液晶構造体の概念を説明する上方向視線から見た断面図
【図２８】実施形態１の液晶構造体の概念を説明する上方向視線から見た断面図
【符号の説明】
【０１０９】
０１００  液晶構造体
０１０１  液晶画素配列部
０１０２  遮蔽素配列部
【図１】
2005134678.tif 000003
【図２】
2005134678.tif 000004
【図３】
2005134678.tif 000005
【図４】
2005134678.tif 000006
【図５】
2005134678.tif 000007
【図６】
2005134678.tif 000008
【図７】
2005134678.tif 000009
【図８】
2005134678.tif 000010
【図９】
2005134678.tif 000011
【図１０】
2005134678.tif 000012
【図１１】
2005134678.tif 000013
【図１２】
2005134678.tif 000014
【図１３】
2005134678.tif 000015
【図１４】
2005134678.tif 000016
【図１５】
2005134678.tif 000017
【図１６】
2005134678.tif 000018
【図１７】
2005134678.tif 000019
【図１８】
2005134678.tif 000020
【図１９】
2005134678.tif 000021
【図２０】
2005134678.tif 000022
【図２１】
2005134678.tif 000023
【図２２】
2005134678.tif 000024
【図２３】
2005134678.tif 000025
【図２４】
2005134678.tif 000026
【図２５】
2005134678.tif 000027
【図２６】
2005134678.tif 000028
【図２７】
2005134678.tif 000029
【図２８】
2005134678.tif 000030